(57)【要約】【課題】  フロアパネルの目的・機能を阻害することなく従来の問題点等を解決することのできるフロアパネル用支持脚を提供することにある。【解決手段】  フロアパネル用支持脚１０は、床面６０に設置されるベース部２０と、ベース部２０に取り付けられてフロアパネル５０を一定の高さで支える支柱部３０と、支柱部３０上面に載置されてフロアパネル５０を受ける台座部４０とを備え、支柱部３０が、フロアパネル５０を一定の高さで支える機能以外に、収納機能，管理機能，味覚を除く五感訴求機能，その他の付加機能を有することを特徴とした。【選択図】  図１
2011038378.tif 000002
【特許請求の範囲】
【請求項１】
床面に敷設されるフロアパネルを支持するフロアパネル用支持脚であって、
当該支持脚は、床面に設置されるベース部と、ベース部に取り付けられてフロアパネルを一定の高さで支える支柱部と、支柱部上面に載置されてフロアパネルを受ける台座部とを備え、
支柱部が、フロアパネルを一定の高さで支える機能以外に、収納機能，管理機能，味覚を除く五感訴求機能，その他の付加機能を有することを特徴としたフロアパネル用支持脚。
【請求項２】
敷設されたフロアパネルの四隅突合せ部分を１個の支柱部で支持することを特徴とした請求項１記載のフロアパネル用支持脚。
【請求項３】
敷設されたフロアパネルの四隅突合せ部分を各四隅ごと１個の支柱部で支持することを特徴とした請求項１記載のフロアパネル用支持脚。
【請求項４】
ベース部は各支柱部ごとにパーツ化されていることを特徴とした請求項３記載のフロアパネル用支持脚。
【請求項５】
台座部は各支柱部ごとにパーツ化されていることを特徴とした請求項３又は４記載のフロアパネル用支持脚。
【発明の詳細な説明】
【技術分野】
【０００１】
本願発明は、床面に敷設されるフロアパネルを支持するフロアパネル用支持脚に関するものである。
【背景技術】
【０００２】
床面に敷設されるフロアパネルを支持するフロアパネル用支持脚としては、従来より、特許文献１に記載されているものがあった。
また、床下に収納機能を備えた床下構造としては、特許文献２及び３に記載されているものがあった。
【先行技術文献】
【特許文献】
【０００３】
【特許文献１】実開昭６３−１７７５３７号公報
【特許文献２】特開昭５８−０１３８５７号公報
【特許文献３】実開昭６１−０１６０４７号公報
【発明の概要】
【発明が解決しようとする課題】
【０００４】
特許文献１に記載されているような従来のフロアパネル用支持脚には、フロアパネルを支持する機能以外に特段付加機能を備えているものはなかった。
一方で、オフィスビルやマンションなどでは災害・緊急時に備えて飲料水や食料品などを保管しておくことが求められるが、そのために保管スペースを確保する必要がある。
【０００５】
この場合、特許文献２や３に開示されているような床下収納構造をフロアパネルに適用すると、フロアパネル下の配線スペースの障害となり、フロアパネルの目的・機能を阻害するものとなる。
【０００６】
そこで、本願発明は、上記した問題点を解決するためになされたものであって、フロアパネル用支持脚にフロアパネルを支持する機能以外の付加機能を備えることで、フロアパネルの目的・機能を阻害することなく上記した問題点等を解決できることを見出し、本願発明を完成させるに至った。
【課題を解決するための手段】
【０００７】
本願発明の第１の発明は、床面に敷設されるフロアパネルを支持するフロアパネル用支持脚であって、当該支持脚は、床面に設置されるベース部と、ベース部に取り付けられてフロアパネルを一定の高さで支える支柱部と、支柱部上面に載置されてフロアパネルを受ける台座部とを備え、支柱部が、フロアパネルを一定の高さで支える機能以外に、収納機能，管理機能，味覚を除く五感訴求機能，その他の付加機能を有することを特徴としたものである。
第２の発明は、敷設されたフロアパネルの四隅突合せ部分を１個の支柱部で支持することを特徴とした同フロアパネル用支持脚である。
第３の発明は、敷設されたフロアパネルの四隅突合せ部分を各四隅ごと１個の支柱部で支持することを特徴とした同フロアパネル用支持脚である。
第４の発明は、ベース部は各支柱部ごとにパーツ化されていることを特徴とした同フロアパネル用支持脚である。
第５の発明は、台座部は各支柱部ごとにパーツ化されていることを特徴とした同フロアパネル用支持脚である。
【発明の効果】
【０００８】
本願発明によれば、次のような効果を有する。
（１）支柱部が、フロアパネルを一定の高さで支える機能以外に、収納機能，管理機能，聴・嗅・触覚訴求機能，その他の付加機能を有することで、フロアパネル下の配線スペースの障害とならずに、フロアパネル用支持脚が様々な機能を提供できる。
（２）例えば、支柱部が収納機能を備えることで、災害・緊急時用の飲料水・生活用水や食料品などを保管しておくことができる。
（３）また、支柱部がセンサー等の管理機能を備えることで、不在・外出時における防災・防犯（セキュリティー）効果を発揮できる。
（４）また、上記センサーに発光機能を備えることで、災害時等の停電時における照明効果や、フロア環境に変化や調和をもたらす効果を発揮することができる。さらに、フロアパネルをアクリル板、ＦＲＰ板、ポリカーボネイト等を用いて、透明、あるいは半透明とすることで、発光機能をより発揮することができる。
（５）また、支柱部がゴム等の弾性体からなり触覚訴求機能を備えることで、防振作用や安定した歩行感を与えることができる。
（６）また、支柱部をポンプ機能の発揮する物にすることで、フロアパネルを踏んだ際に支柱部から音や香を出すような五感訴求機能を備えることで、フロア環境に変化や調和をもたせることができるとともに、イベント・催し物会場としても利用することができる。
【図面の簡単な説明】
【０００９】
【図１】本願発明の第１実施形態を示す説明図（使用図）。
【図２】本願発明の第１実施形態を示す説明図（構造図）。
【図３】本願発明の第１実施形態を示すその他の説明図。
【図４】本願発明の第２実施形態を示す説明図（使用図）。
【図５】本願発明の第２実施形態を示す説明図（構造図）。
【発明を実施するための最良の形態】
【００１０】
本願発明の実施形態を図面に基づいて説明する。
図１及び図２は、本願発明の第１実施形態を示す説明図（使用図，構造図）である。
図１はフロアパネル用支持脚の使用図を示しているが、本願発明に係るフロアパネル用支持脚（以下「支持脚」）１０は、床面６０に敷設されるフロアパネル５０を支持する部材である。支持脚１０は、フロアパネル５０の四隅５１を突き合わせた四隅突合せ部分にそれぞれ設けられ、フロアパネル５０を支持している。
【００１１】
図２はフロアパネル用支持脚の構造図を示しているが、支持脚１０は、床面６０に設置されるベース部２０と、ベース部２０に取り付けられてフロアパネル５０を一定の高さで支える支柱部３０と、支柱部３０上面に載置されてフロアパネル５０を受ける台座部４０とを備えている。
【００１２】
ベース部２０は、略正方形をした板状の基材２１に支柱部３０を取り付ける取付部２２を備えている。ベース部２０の形状は、図示する略正方形のものに特に限定されないが、例えば、フロアパネル５０の四隅５１を１本の支柱部３０で支える場合は、真円状にしたり、フロアパネル５０の四隅５１突合せ部分を四隅５１ごと４個の支柱部で支える場合（図４及び図５に示す第２実施形態）は、１個のベース部２０は四半円状（全体として大きな真円となる。）とすることもできる。なお、ベース部２０は、エポキシ樹脂系接着剤又はウレタン樹脂系接着剤等の接着剤、または、ピン等で床面６０に固定されている。
【００１３】
支柱部３０は、フロアパネル５０を一定の高さで支えられる一定の高さを備えた部材からなっている。図２に示したものはいずれも円柱状のものであるが、これに限られるものではない。そして、支柱部３０は、フロアパネル５０を一定の高さで支える機能以外に、収納機能，管理機能，味覚を除く五感訴求機能，その他の付加機能を有することを特徴としている。
【００１４】
例えば、支柱部３０ａは収納機能を備えたもので、災害・緊急時用の飲料水（生活用水等）や食料品（カンパン等）などを収納しているものである。この場合、市販のドリンク缶や缶詰などを支柱部３０ａとして利用できる。オフィスビルやマンションなどでは災害・緊急時に備えて飲料水や食料品などを保管しておくことが求められるが、支持脚１０を保管スペースとすることで、フロアパネル５０下の配線スペースの障害とならず好適である。
支柱部３０ｂはゴム等の弾性体からなることで触覚訴求機能を備えたものである。歩行等に伴うフロアパネル５０の振動を防ぐ防振作用や、フロアパネル５０に安定した歩行感を与えることができる。
【００１５】
ここで、支柱部３０ａとして利用する缶の種類としては、蓋と胴部とからなるツーピース缶や、蓋部と胴部、底部とからなるスリーピース缶のいずれをも用いることができるが、両端の口と蓋とをかしめて接合することで作られるスリーピース缶がフロアパネル支持方向からの強度が高くなるため、特に好ましい。
【００１６】
また、缶の素材としては、フロアパネル５０を踏んだ際に支柱部３０ａが潰れなければ特に限定されるものではないが、特にスチールが好ましい。また、形状については、円筒や長方体等特に限定されるものではないが、フロアパネル５０が踏まれた際に支柱部３０ａへの応力から、円筒が好ましい。
【００１７】
支柱部３０ｃはセンサー等の管理機能を備えたものである。フロアパネル５０上に変化があると支柱部３０ｃ内のセンサーが感知するので、不在・外出時における防災・防犯（セキュリティー）効果を発揮できる。
支柱部３０ｄは支柱部内のポンプから音や香を出すような聴・嗅訴求機能を備えたものである。効果としては支柱部３０ｂと似たような人間の五感に訴えるものであるが、フロア環境に変化や調和をもたせることができる。特に、イベント・催し物会場の演出・効果として利用することができる。
なお、支柱部３０の付加機能は上記したものに限られず、その他の機能を付加したものであってもよい。
【００１８】
台座部４０は、支柱部３０上面に載置されてフロアパネル５０と当接してフロアパネル５０を受ける役割を果たす。フロアパネル５０の四隅５１の突き合わせを確実且つ容易に行えるようにするため、台座部４０にはガイド片４１を備えている。
また、台座部４０はポリプロピレンやポリエステル等のプラスチックからなるが、特にこれらに限定されるものではない。台座部４０の形状としては、フロアパネル５０の四隅５１突合せ部分を四隅５１ごと４個の支柱部で支える場合（図４及び図５に示す第２実施形態）は、各支柱部に台座部を載置するタイプのものであっても、４個の支柱部全体に１個の台座部を載置するタイプのものであってもよい。
【００１９】
また、台座部４０あるいは直接支柱部３０上面にロック機構７０を備えてもよい。ロック機構７０は、雄部材７１と雌部材７２とからなり、両者の間にフロアパネル５０の四隅５１の突合せ部分を介在させて雄部材７１を雌部材７２に嵌合させる。これにより、フロアパネル５０と支持脚１０とが固定されることで、フロアパネル５０のズレを防止することができる。ロック機構７０（雄部材７１及び雌部材７２）の素材としては、鉄等の金属や、ポリプロピレンやポリエステル等のプラスチックが用いられるが、特にこれらに限定されるものではない。
【００２０】
図４及び図５は、本願発明の第２実施形態を示す説明図（使用図，構造図）である。
図１及び図２に示す第１実施形態が敷設されたフロアパネル５０の四隅５１突合せ部分を１個の支柱部３０で支持しているのに対して、図３及び図４に示す第２実施形態では、敷設されたフロアパネル５０の四隅５１突合せ部分を各四隅５１ごと１個の支柱部３５で支持することに特徴がある。これによって図４に示すように、フロアパネルの四隅突合せ部分１箇所につき突き合わせるフロアパネルの数だけ支柱部を配置できるとともに（収納機能の増加や複数機能の付加等）、支柱部の安定性が向上する効果がある。
【００２１】
図５はフロアパネル用支持脚の構造図を示しているが、支持脚１５は、床面６０に設置されるベース部２５と、ベース部２５に取り付けられてフロアパネル５０を一定の高さで支える支柱部３５と、支柱部３５上面に載置されてフロアパネル５０を受ける台座部４５とを備えている。
【００２２】
そして、ベース部２５は、各支柱部３５ごとにパーツ化されており、相互に接続するようにして使用される。また、台座部４５も同様に各支柱部３５ごとにパーツ化されており、相互に接続するようにして使用される。なお、ベース部２５及び台座部４５はパーツ化されず、一体化されたものであってもよい。第２実施形態のその他については、第１実施形態と同様であるので、その説明を省略する。
【産業上の利用可能性】
【００２３】
本願発明は、床面に敷設されるフロアパネルを支持するフロアパネル用支持脚に広く利用できるものである。特に、フロアパネル用支持脚にフロアパネルを一定の高さで支える機能以外のものを要求する場合に好適できる。
【符号の説明】
【００２４】
１０  フロアパネル用支持脚（支持脚）（第１実施形態）
１５  フロアパネル用支持脚（支持脚）（第２実施形態）
２０  ベース部（第１実施形態）
２１  基材
２２  取付部
２５  ベース部（第２実施形態）
３０  支柱部（第１実施形態）
３５  支柱部（第２実施形態）
４０  台座部（第１実施形態）
４１  ガイド片
４５  台座部（第２実施形態）
５０  フロアパネル
５１  フロアパネル四隅
６０  床面
７０  ロック機構
７１  雄部材
７２  雌部材
【図１】
2011038378.tif 000003
【図２】
2011038378.tif 000004
【図３】
2011038378.tif 000005
【図４】
2011038378.tif 000006
【図５】
2011038378.tif 000007